(57)【要約】【課題】押しボタン装置の押しボタン部の押下方向の大型化を招くことなく、簡単な構造で押しボタン部の押下解除時の異音の発生を低減する仕組みを提供する。【解決手段】押しボタン装置は、開口部１１ａを有する支持部材１１と、開口部１１ａに嵌め込まれることで外部に露出する操作面を有し、押下操作が可能な押しボタン部１２ａと、押しボタン部１２ａを押下方向と反対方向に付勢する付勢部材１２ｂと、を備える。支持部材１１は、押しボタン部１２ａが付勢部材１２ｂにより付勢された状態で当接して押しボタン部１２ａを初期位置に位置決め保持する当接部１１ｄを有する。押しボタン部１２ａの当接部１１ｄに当接する面１２ｆは、押下方向に対して傾斜して形成される。【選択図】図３
2014225349.tif 000002
【特許請求の範囲】
【請求項１】
開口部を有する支持部材と、
前記開口部に嵌め込まれることで外部に露出する操作面を有し、押下操作が可能な押しボタン部と、
前記押しボタン部を押下方向と反対方向に付勢する付勢部材と、を備え、
前記支持部材は、前記押しボタン部が前記付勢部材により付勢された状態で当接して前記押しボタン部を初期位置に位置決め保持する当接部を有し、
前記押しボタン部の前記当接部に当接する面は、押下方向に対して傾斜して形成されることを特徴とする押しボタン装置。
【請求項２】
前記当接部は、前記開口部の径方向外側に配置されることを特徴とする請求項１に記載の押しボタン装置。
【請求項３】
前記押しボタン部は、樹脂製であることを特徴とする請求項１又は２に記載の押しボタン装置。
【請求項４】
前記当接部は、曲面であることを特徴とする請求項１乃至３のいずれか一項に記載の押しボタン装置。
【請求項５】
前記支持部材は、金属製であり、前記開口部の周囲を押下方向へ塑性変形させた際に生じる抜きダレにより形成される曲面を前記当接部に用いることを特徴とする請求項４に記載の押しボタン装置。
【請求項６】
前記付勢部材は、前記押しボタン部と一体に形成されることを特徴とする請求項１乃至５のいずれか一項に記載の押しボタン装置。
【請求項７】
前記支持部材は、電子機器の外装カバーであることを特徴とする請求項１乃至６のいずれか一項に記載の押しボタン装置。
【請求項８】
請求項１乃至７のいずれか一項に記載の押しボタン装置を備える電子機器。
【発明の詳細な説明】
【技術分野】
【０００１】
本発明は、例えばデジタルカメラ等の電子機器に設けられる押しボタン装置、及び押しボタン装置を備える電子機器に関する。
【背景技術】
【０００２】
デジタルカメラ等の電子機器に設けられる押しボタン装置は、キートップが支持部材により初期位置に支持され、この状態でキートップを押下すると、スイッチが押圧されてスイッチの回路が導通する。また、キートップの押下が解除されると、キートップは、付勢部材の付勢力により初期位置に押し戻される。
【０００３】
このような構成の押しボタン装置では、キートップの押下を解除した際、付勢部材の付勢力によりキートップが支持部材の受け面に衝突し、その衝撃でキートップが振動する。そして、キートップが支持部材の受け面に繰り返し衝突することで、びびり音等の異音が発生し、操作感を損なうという問題が生じていた。
【０００４】
そこで、従来、キートップが支持部材の受け面に衝突する前に減速手段でキートップを減速させ、衝突時の衝撃を緩和する技術が提案されている（特許文献１）。また、キートップが衝突する支持部材の受け面を弾性変形させて、衝突時の衝撃を緩和する技術が提案されている（特許文献２）。
【先行技術文献】
【特許文献】
【０００５】
【特許文献１】特開２００６−１４７３１８号公報
【特許文献２】特開２０１１−２２２４０７号公報
【発明の概要】
【発明が解決しようとする課題】
【０００６】
しかし、上記特許文献１では、減速手段を設けるためのスペースを確保する必要があるため、押しボタン装置がキートップの押下方向に大きくなってしまい、電子機器自体の大型化を招く。
【０００７】
一方、上記特許文献２についても、支持部材の受け面の弾性変形代を確保する必要があるため、同様に、押しボタン装置がキートップの押下方向に大きくなってしまい、電子機器自体の大型化を招く。また、上記特許文献２では、金属製の支持部材を用いる場合は、別途に弾性部材を設けるか、金属で弾性変形させる構造を設ける必要があり、構造が複雑となる。
【０００８】
そこで、本発明は、押しボタン装置の押しボタン部の押下方向の大型化を招くことなく、簡単な構造で押しボタン部の押下解除時の異音の発生を低減する仕組みを提供することを目的とする。
【課題を解決するための手段】
【０００９】
上記目的を達成するために、本発明の押しボタン装置は、開口部を有する支持部材と、前記開口部に嵌め込まれることで外部に露出する操作面を有し、押下操作が可能な押しボタン部と、前記押しボタン部を押下方向と反対方向に付勢する付勢部材と、を備え、前記支持部材は、前記押しボタン部が前記付勢部材により付勢された状態で当接して前記押しボタン部を初期位置に位置決め保持する当接部を有し、前記押しボタン部の前記当接部に当接する面は、押下方向に対して傾斜して形成されることを特徴とする。
【発明の効果】
【００１０】
本発明によれば、押しボタン装置の押しボタン部の押下方向の大型化を招くことなく、簡単な構造で押しボタン部の押下解除時の異音の発生を低減することができる。
【図面の簡単な説明】
【００１１】
【図１】（ａ）は本発明の押しボタン装置を備える電子機器の実施形態の一例であるデジタルカメラを正面側（被写体側）から見た斜視図、（ｂ）は（ａ）に示すデジタルカメラを背面側から見た斜視図である。
【図２】押しボタン装置の分解斜視図である。
【図３】（ａ）は押しボタン部の非押下状態における押しボタン装置の押し軸の中心線に沿う断面図、（ｂ）は（ａ）の部分拡大図である。
【図４】（ａ）は押しボタン部の傾斜面が外装カバーのＲ部に衝突した際の衝突力とその反力との関係を説明するための要部断面図、（ｂ）は（ａ）に示す衝突後に押しボタン部が動こうとする方向を説明するための要部断面図である。
【図５】押しボタン部を押下方向側から見た図である。
【発明を実施するための形態】
【００１２】
以下、本発明の実施形態の一例を図面を参照して説明する。
【００１３】
図１（ａ）は、本発明の押しボタン装置を備える電子機器の実施形態の一例であるデジタルカメラを正面側（被写体側）から見た斜視図である。図１（ｂ）は、図１（ａ）に示すデジタルカメラを背面側から見た斜視図である。
【００１４】
本実施形態のデジタルカメラは、図１に示すように、カメラ本体１の正面側にズーム式のレンズ鏡筒２が設けられ、カメラ本体１の上面部には、レリーズボタン３、ズームレバー４、切替ダイヤル５及び電源ボタン６が設けられている。また、カメラ本体１の背面側には、ＬＣＤ等の表示ユニット７及び複数の押下式の操作ボタン群８が設けられている。
【００１５】
ここで、本実施形態では、操作ボタン群８に図２乃至図５に示す押しボタン装置１０を用いている。図２は、押しボタン装置１０の分解斜視図である。
【００１６】
図２において、外装カバー１１は、金属製の板材をプレス成形等して形成され、押しボタン部材１２の押しボタン部１２ａが押下操作が可能に嵌め込まれる開口部１１ａが形成されている。ここで、外装カバー１１は、本発明の支持部材の一例に相当する。
【００１７】
押しボタン部材１２は、樹脂材料で一体に形成され、固定部１２ｃ、押しボタン部１２ａ、及び固定部１２ｃと押しボタン部１２ａとを接続して固定部１２ｃに対して押しボタン部１２ａを押下方向と反対方向に付勢する腕部１２ｂを有する。
【００１８】
固定部１２ｃは、外装カバー１１に接着剤等を介して固定される。腕部１２ｂは、断面略長方形に形成され、押しボタン部１２ａの押下方向に弾性変形し易く、押下方向と直交する向に弾性変形し難くなっている。ここで、腕部１２ｂは、本発明の付勢部材の一例に相当する。
【００１９】
押しボタン部１２ａは、円筒部１２ａ1 の一端部に設けられる端板部１２ａ2 が外装カバー１１の開口部１１ａから外部に露出して端板部１２ａ2 の表面が操作面とされ、端板部１２ａ2 の裏側中央には、押し軸１２ｄ（図３（ａ）参照）が設けられている。
【００２０】
押しボタン部１２ａが押下操作されると、押し軸１２ｄがスイッチ部材１３を押圧し、スイッチ部材１３内部の回路が導通される。スイッチ部材１３は、フレキシブル基板１４上に設けられ、フレキシブル基板１４は、カメラ本体１内の支持板金（不図示）等に両面テープ等を介して固定される。
【００２１】
図３（ａ）は、押しボタン部１２ａの初期位置における押しボタン装置１０の押し軸１２ｄの中心線に沿う断面図である。図３（ｂ）は、図３（ａ）の部分拡大図である。
【００２２】
図３に示すように、押しボタン部１２ａの円筒部１２ａ1 の他端（下端）外周部には、径方向外方に延びるフランジ部１２ｅが外装カバー１１の裏面側に対向して設けられている。
【００２３】
フランジ部１２ｅの外装カバー１１の裏面側に対向する面の径方向内側の面１２ｈは、径方向外側の面１２ｇより低く形成されている。フランジ部１２ｅの径方向内側の面１２ｈと径方向外側の面１２ｇとの間には、押しボタン部１２ａの押下方向に対し略４５°傾斜した傾斜面１２ｆがフランジ部１２ｅの略全周に渡って形成されている。
【００２４】
一方、外装カバー１１に形成された開口部１１ａの当該外装カバー１１の表面側の周囲には、半抜き加工による塑性変形により、環状凹部１１ｆが形成されている。また、この半抜き加工により、開口部１１ａの外装カバー１１の裏面側の周囲は、押下方向に突出する円筒部１１ｇが環状凹部１１ｆに対応して形成されている。なお、この円筒部１１ｇの穴が開口部１１ａに相当するが、この穴は、半抜き加工後の打ち抜き加工により形成される。
【００２５】
ここで、図３（ｂ）に示すように、円筒部１１ｇの内周面と環状凹部１１ｆの底面との境部１１ｂには、打ち抜き加工により開口部１１ａを形成した際に生じる抜きダレによりＲ形状部（曲面部）が形成される。また、円筒部１１ｇの内周面と円筒部１１ｇの先端面との境部１１ｃは、打ち抜き加工により開口部１１ａを形成した際に生じるバリのついた角状部となる。
【００２６】
環状凹部１１ｆの内周面と外装カバー１１の表面との境部１１ｅには、半抜き加工による抜きダレにより生じるＲ形状部が形成される。また、円筒部１１ｇの外周面と円筒部１１ｇの先端面との境部は、押しボタン部１２ａの当接部１１ｄとされ、当接部１１ｄにも、半抜き加工による抜きダレによりＲ形状部が形成される。
【００２７】
この外装カバー１１の当接部１１ｄに、腕部１２ｂにより付勢された状態の押しボタン部１２ａの傾斜面１２ｆを当接させることで、押しボタン部１２ａが初期位置に位置決め保持される。
【００２８】
そして、図３に示す初期位置の状態で押しボタン部１２ａが押下操作されると、腕部１２ｂが撓み、これにより、押しボタン部１２ａを押下方向と反対方向（初期位置の方向）に付勢する力が発生する。
【００２９】
押しボタン部１２ａの押下が解除されると、腕部１２ｂの付勢力により押しボタン部１２ａは、押下方向と反対方向に移動し、フランジ部１２ｅに形成された傾斜面１２ｆが外装カバー１１の当接部１１ｄに衝突する。
【００３０】
これにより、押しボタン部１２ａの押下解除時に押しボタン部１２ａが外装カバー１１の当接部１１ｄに衝突・摺動しても、かかる衝突・摺動により樹脂製の押しボタン部材１２ａが削れて削れ粉が発生することが防止される。
【００３１】
また、外装カバー１１との衝突で押しボタン部１２ａの傾斜面１２ｆに痕がついた場合でも、傾斜面１２ｆは、開口部１１ａの径方向外側に配置される為、ユーザが開口部１１ａと押しボタン部１２ａとの隙間から傾斜面１２ｆについた痕を目視することはできない。
【００３２】
図４（ａ）は、押しボタン部１２ａの傾斜面１２ｆが外装カバー１１の当接部１１ｄに衝突した際の衝突力とその反力との関係を説明するための要部断面図である。図４（ｂ）は、図４（ａ）に示す衝突後に押しボタン部１２ａが動こうとする方向を説明するための要部断面図である。なお、図４において、押しボタン部１２ａの押下方向を＋ｙ方向、押しボタン部１２ａの押下方向と直交し、かつ押しボタン部１２ａの中心から径方向外方に向かう方向をｘ方向とする。
【００３３】
図４（ａ）に示すように、押下解除時に−ｙ方向に力Ｆのベクトルで動く押しボタン部１２ａは、外装カバー１１の当接部１１ｄに衝突した際、傾斜面１２ｆに垂直な反力Ｆｎを受ける。このとき、摩擦の影響を考慮すると、衝突後の押しボタン部１２ａは、ｘ方向にほぼ平行なベクトルの力Ｆ′の方向に動こうとする。
【００３４】
力Ｆ′は、図４（ｂ）に示すように，ｘ方向の成分Ｆ′ｘの力とｙ方向の成分Ｆ′ｙの力とに分けることができる。成分Ｆ′ｘの力は、押しボタン部１２ａをｘ方向に動かして同方向に振動させる。ここで、前述したように、押しボタン部材１２ａの腕部１２ｂは、ｙ方向には変形しやすいがｘ方向には変形し難い断面形状とされているため、ｘ方向の振動は、すぐに減衰する。
【００３５】
一方、成分Ｆ′ｙの力は、押しボタン部１２ａをｙ方向に動かし、押しボタン部１２ａを±ｙ方向に振動させる。押しボタン部材１２ａの腕部１２ｂは、上述したように、±ｙ方向に変形しやすいため、±ｙ方向の振動は減衰しにくいが、成分Ｆ′ｙの力の大きさは小さく、振動の振幅が小さいため、±ｙ方向の振動もすぐに減衰する。
【００３６】
図５は、押しボタン部１２ａを押下方向側から見た図である。図５に示すように、フランジ部１２ｅは、押しボタン部１２ａと腕部１２ｂとの接続部を除く略全周に渡って形成され、傾斜面１２ｆは、このフランジ部１２ｅの全周に渡って設けられている。
【００３７】
したがって、押しボタン部１２ａの傾斜面１２ｆが外装カバー１１の当接部１１ｄに衝突した際に押しボタン部１２ａに作用する反力Ｆｎのｘ方向の成分Ｆｘは、図５の矢印で示すように、押しボタン部１２ａの中心に対して略放射状に発生する。このため、それぞれ反対方向に発生する反力Ｆｘは、互いに相殺されて消滅する。これにより、押しボタン部１２ａのｘ方向の振動を、この相殺効果と上述した減衰効果によって素早く消滅させることができる。
【００３８】
以上説明したように、本実施形態では、押下解除された押しボタン部１２ａは、外装カバー１１の当接部１１ｄに対して傾斜した面１２ｆで衝突する。このため、衝突の際に押しボタン部１２ａが外装カバー１１から受ける反力の多くは押下方向に対して垂直な方向の成分に変換される。この押下方向に垂直な成分の振動は、減衰が大きく、びびり音等の異音の発生にも寄与しないため、従来のように、減速手段や弾性部材等を設けることなく、衝突時の衝撃を緩和して異音の発生を低減させることができる。
【００３９】
これにより、押しボタン装置１０の押しボタン部１２ａの押下方向の大型化を招くことなく、また、外装カバー１１が金属製であっても、簡単な構造で押しボタン部１２ａの押下解除時の異音の発生を低減することができる。
【００４０】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４１】
１  カメラ本体
１０  押しボタン装置
１１  外装カバー
１１ａ  開口部
１１ｄ  当接部
１２  押しボタン部材
１２ａ  押しボタン部
１２ｂ  腕部
１２ｃ  固定部
１２ｆ  傾斜面
【図１】
2014225349.tif 000003
【図２】
2014225349.tif 000004
【図３】
2014225349.tif 000005
【図４】
2014225349.tif 000006
【図５】
2014225349.tif 000007